(57)【要約】【課題】シート状部材を本体部に収容して必要長さを容易に取り出すことができ、かつ引出し端部が本体部側に入った場合おいても、蓋をあけることなく、容易に端部を引き出すことができるシート状部材取り出し箱を提供する。【解決手段】本発明に係るシート状部材取り出し箱１は、上部に開口部３を有する有底枠体からなりキッチンペーパー９等のシート状部材を収容する本体部５と、本体部５の開口部３を覆うように設置される蓋体７とを備え、蓋体７は、本体部５に収容されたシート状部材を引き出し可能なスリット部１２と、スリット部１２の両端に設けられ、スリット部１２よりも幅広で手指を挿入可能な手指挿入口１５を有することを特徴とするものである。【選択図】  図１
2016016090.tif 000002
【特許請求の範囲】
【請求項１】
上部に開口部を有する有底枠体からなりシート状部材を収容できる本体部と、該本体部の前記開口部を覆うように設置される蓋体とを備え、
前記蓋体は、前記シート状部材を引き出し可能なスリット部と、該スリット部の両端に前記スリット部よりも幅広の手指挿入口を有することを特徴とするシート状部材取り出し箱。
【請求項２】
前記本体部は、中心部に軸穴を有するロール状に巻き回されたシート状部材を収容するものであり、
前記蓋体は、前記スリット部が形成された蓋体本体部と、該蓋体本体部の両側部に前記本体部側に向けて屈曲可能にヒンジ結合された片部を有し、該片部は前記ロール状に巻き回されたシート状部材の軸穴に挿入して前記シート状部材を保持できる支持部を有することを特徴とする請求項１記載のシート状部材取り出し箱。
【請求項３】
前記スリット部は、前記蓋体本体部に対向して配置され、該蓋体本体部から上方に延出する一対の板状体によって形成され、
前記蓋体本体部は、前記板状体の上端が前記本体部の上端より上方に延出しないように前記本体部の開口部に設置されていることを特徴とする請求項１又は２に記載のシート状部材取り出し箱。
【請求項４】
前記一対の板状体の上端部は、一方が他方よりも上方に延出していることを特徴とする請求項３に記載のシート状部材取り出し箱。
【発明の詳細な説明】
【技術分野】
【０００１】
本発明は、例えばキッチンロールペーパー、ティッシュ、包装フィルム等のシート状部材を収容して、容易に取り出しができるシート状部材取り出し箱に関する。
【背景技術】
【０００２】
ロール状に巻き回されたペーパーを収容して、必要部分を取り出すことができるシート状部材取り出し箱として、例えば特許文献１に開示された「ロール巻きペーパーの引出しケース」がある。
特許文献１に開示されたものは、「トイレットペーパー等のロール巻きペーパーを引出して使用するための引出しケースであって、巻きロールを収納するための収納空間を持った本体には開閉自在な蓋を取着し、本体の両側壁には軸受けを形成し、巻きロールの軸孔に挿通した軸芯を上記軸受けに軸支し、巻きロールを巻戻すことでペーパーの引出しを可能にしたことを特徴とする」ものである（特許文献１の請求項１参照）。
また、特許文献１では、ペーパーの引出し口として、蓋の中央に細長い口を形成するとしている（特許文献１の請求項２参照）。
【先行技術文献】
【特許文献】
【０００３】
【特許文献１】実開平６−７５２９５号公報
【発明の概要】
【発明が解決しようとする課題】
【０００４】
特許文献１は、本体内に収容されたトイレットペーパー等を引出し口から引き出して使用するが、使用途中でトイレットペーパーの端部が引出し口から本体内に入る場合がある。
この場合、蓋をあけ、トイレットペーパーの端を持って、引出し口の裏面側から押し込む操作が必要となる。
【０００５】
しかしながら、厚みの薄いトイレットペーパー等を、狭い引出し口に押し込むのは難しい。
もっとも、引出し口の幅を広めにすれば挿入は容易になるが、その場合、引出し口にペーパーの引出し端部を保持する機能を持たせられなくなる。
【０００６】
本発明はかかる課題を解決するためになされたものであり、シート状部材を本体部に収容して必要長さを容易に取り出すことができ、かつ引出し端部が本体部側に入った場合に蓋体をあけることなく、容易に引き出すことができるシート状部材取り出し箱を提供することを目的としている。
【課題を解決するための手段】
【０００７】
（１）本発明に係るシート状部材取り出し箱は、上部に開口部を有する有底枠体からなりシート状部材を収容できる本体部と、該本体部の前記開口部を覆うように設置される蓋体とを備え、前記蓋体は、前記シート状部材を引き出し可能なスリット部と、該スリット部の両端に前記スリット部よりも幅広の手指挿入口を有することを特徴とするものである。
【０００８】
（２）また、上記（１）に記載のものにおいて、前記本体部は、中心部に軸穴を有するロール状に巻き回されたシート状部材を収容するものであり、
前記蓋体は、前記スリット部が形成された蓋体本体部と、該蓋体本体部の両側部に前記本体部側に向けて屈曲可能にヒンジ結合された片部を有し、該片部は前記ロール状に巻き回されたシート状部材の軸穴に挿入して前記シート状部材を保持できる支持部を有することを特徴とするものである。
【０００９】
（３）また、上記（１）又は（２）に記載のものにおいて、前記スリット部は、前記蓋体本体部に対向して配置され、該蓋体本体部から上方に延出する一対の板状体によって形成され、前記蓋体本体部は、前記板状体の上端が前記本体部の上端より上方に延出しないように前記本体部の開口部に設置されていることを特徴とするものである。
【００１０】
（４）また、上記（３）に記載のものにおいて、前記一対の板状体の上端部は、一方が他方よりも上方に延出していることを特徴とするものである。
【発明の効果】
【００１１】
本発明に係るシート状部材取り出し箱においては、上部に開口部を有する有底枠体からなり、シート状部材を収容する本体部と、該本体部の前記開口部を覆うように設置される蓋体とを備え、前記蓋体は、前記本体部に収容された前記シート状部材を引き出し可能なスリット部と、該スリット部の両端に前記スリット部よりも幅広の手指挿入口を有するので、シート状部材の取り出し端部が本体部に入った場合に、蓋体を開けることなく、手指挿入口から手指を挿入してシート状部材を摘んで前記スリットから引き出すことができる。しかも、このような操作を薄いシート状部材をスリットに押し込むのに比較して、容易かつ迅速にストレスなく行うことができる。
【図面の簡単な説明】
【００１２】
【図１】本発明の一実施の形態に係るシート状部材取り出し箱の構造を説明する説明図である。
【図２】本発明の一実施の形態に係るシート状部材取り出し箱の蓋体の構造を説明する説明図である。
【図３】本発明の一実施の形態に係るシート状部材取り出し箱の使用方法の説明図である（その１）。
【図４】本発明の一実施の形態に係るシート状部材取り出し箱の使用方法の説明図である（その２）。
【図５】本発明の一実施の形態に係るシート状部材取り出し箱の使用方法の説明図である（その３）。
【図６】本発明の一実施の形態に係るシート状部材取り出し箱の蓋体の他の態様の説明図である。
【発明を実施するための形態】
【００１３】
本実施の形態に係るシート状部材取り出し箱１は、図１に示すように、上部に開口部３を有する有底枠体からなる本体部５と、本体部５の開口部３を覆うように設置される蓋体７とを備えている。
以下、各構成を詳細に説明する。
【００１４】
＜シート状部材＞
本実施の形態で収容の対象としているシート状部材は、図３に示すように、中心部に軸穴８を有するようにロール状に巻き回された例えばキッチンペーパー９である。
キッチンペーパー９は所定の長さでミシン目が設けられており、ミシン目が見える程度に引出してミシン目から切断することで、所定長さの大きさにすることができる。
【００１５】
＜本体部＞
本体部５は、上部に開口部３を有する有底枠体からなり、キッチンペーパー９を収容するものである。本体部５の周壁は、底面に向かって内側に若干傾斜しており、本体部５の全体が底面に向かって縮径する形状になっている。
本体部５の開口部３の上端内面縁には、その全周に亘って段部１１が形成され、本体部５の上端縁は、段部１１よりも外側に張り出すように拡径している。これにより、本体部５上端の剛性が強化されている。
【００１６】
＜蓋体＞
蓋体７は、本体部５に収容されたキッチンペーパー９を引き出し可能なスリット部１２が形成された蓋体本体部１３と、蓋体本体部１３におけるスリット部１２の両端に設けられ、スリット部１２よりも幅広で手指を挿入可能な手指挿入口１５と、蓋体本体部１３の長手方向両端に屈曲可能にヒンジ結合された矩形状の片部１７を有している。
スリット部１２は、基端部が蓋体７側に一体的に設けられ、かつ互いに近づくように湾曲しながら上方に延出する一対の板状体１９の先端部の隙間で形成されている。
片部１７にはキッチンペーパー９の軸穴８が挿入され、キッチンペーパー９を保持できる支持部２１が設けられている。本実施の形態の支持部２１は、図１に示すように、円筒状になっており、キッチンペーパー９の軸穴８に挿入されたときに、キッチンペーパーの回転を円滑に行うことができる。
【００１７】
蓋体７は、樹脂を射出成形したものであり、使用前の状態は、図２に示すように、片部１７の面が蓋体本体部１３と平行になっている。使用時は一対の片部１７を、図２の矢印で示すように、ヒンジ部２３から屈曲させて、本体部５に挿入する。（図１参照）。
【００１８】
蓋体７は、屈曲させた片部１７の下辺が本体部５の底面に接地することによって、本体部５の開口部３を覆うように設置される。このとき板状体１９の上端部が、本体部５の上端縁よりも上方に出っ張らないようになっている。
このため、シート状部材取り出し箱１をシステムキッチンなどの引き出しに収納した場合、本体部５の上端縁が引出しに収まっておれば、板状体１９が引き出しの天板等に当接することなく使用できる。
【００１９】
上記のように構成された本実施の形態のシート状部材取り出し箱１の使用方法を説明する。
図３に示すように、キッチンペーパー９の軸穴８に支持部２１を挿入して、蓋体７にキッチンペーパー９を保持する。
この状態で、片部１７を本体部５に挿入して蓋体本体部１３を本体部５に設置すればキッチンペーパー９の収容が完了する。
【００２０】
収容完了後、図４に示すように、手指挿入口１５から手指を挿入してキッチンペーパー９の端部を摘んで上方に引き上げることで、キッチンペーパー９の端部をスリット部１２から引き出す。このような操作のため、薄いキッチンペーパー９を隙間の狭いスリット部１２から容易に引き出すことができる。
しかも、キッチンペーパー９は、その軸穴８に支持部２１を挿入されて回転可能に保持されているので、手指でキッチンペーパー９を回すことができ、端部を探しやすい。
【００２１】
端部をスリット部１２から所定の長さ引き出した状態では、図５に示すように、キッチンペーパー９の端部がスリット部１２に挟まれた状態で保持されるので、キッチンペーパー９を引き出すときの操作が容易となる。
【００２２】
使用時において、所定長さのキッチンペーパー９を取り出すには、ミシン目よりも少し長めに引き出して、板状体１９の一方を他方に押し付けてキッチンペーパー９を板状体１９で挟み、この状態でキッチンペーパー９をスリット部１２に沿ってミシン目で切り取るようにする。
【００２３】
使用途中で、キッチンペーパー９の端部が本体部５内に入った場合には、上述した収容完了後のときと同様に、手指挿入口１５から手指を挿入してキッチンペーパー９の端部を摘み、上方に引き上げるようにすればよい。このとき、蓋体７を外す必要がないので、シート状部材取り出し箱１をシステムキッチンの引出しの中に収納した場合には特に便利である。
【００２４】
キッチンペーパー９の交換時には、図３に示すように、蓋体７を持ち上げるだけで、キッチンペーパー９の芯材を蓋体７と一緒に取り出すことができる。
また、蓋体本体部１３と片部１７は屈曲可能なヒンジ部２３で結合しており、蓋体７を本体部５から取り出したときに、片部１７は蓋体本体部１３の軸方向に開く。そのため、キッチンペーパー９の芯材を支持部２１から容易に取り外すことができる。また、新しいキッチンペーパー９を取り付ける際も容易に取り付けることができる。
キッチンペーパー９を交換した後、再び本体部５に蓋体７を配置する際には、ヒンジ部２３の弾性により片部１７が本体部５に押し付けられてしっかりと収まる。
【００２５】
以上のように、本実施の形態に係るシート状部材取り出し箱１によれば、キッチンペーパー９の端部が本体部５内に入った場合においても、蓋体７を外すことなく、簡単にキッチンペーパー９の端部をスリット部１２から引き出すことができる。このため、蓋体７を外して行う従来例よりも、薄いキッチンペーパー９を隙間の狭いスリット部１２から容易に引き出すことができる。
【００２６】
なお、上記の説明ではシート状部材の一例として、ロール状のキッチンペーパー９を例に挙げて説明したが、シート状部材はこのようなロール状のものに限られない。他の例として、複数のシートを互いに折り込んで積層されたシート束、例えばティッシュペーパー、ペーパータオル、不織布等であってもよい。
【００２７】
また、上記の説明ではスリット部１２を形成する一対の板状体１９の延出長さが同じものを例に挙げたが、図６に示すように、一方の板状体１９と他方の板状体１９の延出長さを変えてもよい。
この場合、延出長さの短い板状体２５には剛性の高い部材を使用し、延出長さの長い板状体２７には剛性の低い部材を使用するのが好ましい。使用時には、シート状部材の引き出し部は、延出長さの長い板状体２７で延出長さの短い板状体２５側に押し付けられて保持される。
また、ペーパー切り取り時には、シート状部材を片手で保持して、延出長さの長い板状体２７を延出長さの短い板状体２５側に押し付けて、シート状部材を引きちぎるようにすれば、次回使用するシート状部材に触れることなくシート状部材を切り取ることができる。
また、上記の説明では、板状体１９の例として、蓋体本体部１３と一体成形された湾曲しながら上方に延出するものを示したが、本発明の板状体はこれに限られず、蓋体本体部１３と別体であってもよく、また湾曲しない平板状のものであってもよい。
【００２８】
さらに、上記の説明では、蓋体本体部１３に片部１７に設けた例を挙げたが、本発明においては、片部１７は必須ではなく、片部１７がなく、キッチンペーパー９を蓋体に保持することなく、本体部５に直に置くような態様も含んでいる。
【符号の説明】
【００２９】
１  シート状部材取り出し箱
３  開口部
５  本体部
７  蓋体
８  軸穴
９  キッチンペーパー
１１  段部
１２  スリット部
１３  蓋体本体部
１５  手指挿入口
１７  片部
１９  板状体
２１  支持部
２３  ヒンジ部
２５  延出長さの短い板状体
２７  延出長さの長い板状体
【図１】
2016016090.tif 000003
【図２】
2016016090.tif 000004
【図３】
2016016090.tif 000005
【図４】
2016016090.tif 000006
【図５】
2016016090.tif 000007
【図６】
2016016090.tif 000008